(57)【要約】      （修正有）【課題】煩雑な作業を行うことなく効率よく溝開口に固定することができる金属製蓋体の受け枠構造を提供する。【解決手段】溝開口２に金属製蓋体３０を載置するための受け枠１０であって、前記受け枠１０の下部に首振り部を介して傾斜自在な圧接部を有する圧締部２０を形成して、溝壁部４の傾斜面５に対しても緊締可能とした。また、圧締部２０が平面ロ字状の受け枠本体１１の溝方向と直行する端部材１３に垂設されたブラケット１４に取り付けられている。【選択図】図２
0003195720.tif 000002
【実用新案登録請求の範囲】
【請求項１】
溝開口に金属製蓋体を載置するための受け枠であって、
前記受け枠の下部に首振り部を介して傾斜自在な圧接部を有する圧締部を形成して、溝壁部の傾斜面に対しても緊締可能としたことを特徴とする金属製蓋体の受け枠構造。
【請求項２】
圧締部が平面ロ字状の受け枠本体の溝方向と直行する端部材に垂設されたブラケットに取り付けられた請求項１に記載の金属製蓋体の受け枠構造。
【考案の詳細な説明】
【技術分野】
【０００１】
本考案は、側溝等の排水溝の溝開口に配設される金属製蓋体を載置するための受け枠構造に関する。
【背景技術】
【０００２】
側溝や横断溝等の排水溝の溝開口には、溝部内部への落ち葉やゴミ等の異物の進入を抑制するために、グレーチングと称される金属製蓋体（溝蓋）が配設される。この種の溝蓋では、紛失、盗難、跳ね上がり等を防止するために、溝開口に固設された受け枠に載置されて固定される。
【０００３】
従来の受け枠構造では、受け枠にアンカー部材等が設けられており、このアンカー部材等を溝開口に埋設させることによって受け枠が溝開口に一体に固定されている。しかしながら、受け枠を溝開口に一体に固定するには、施工時に煩雑な工程が必要で作業効率の面で不利であった。
【考案の概要】
【考案が解決しようとする課題】
【０００４】
本考案は前記の点に鑑みなされたものであり、煩雑な作業を行うことなく効率よく溝開口に固定することができる金属製蓋体の受け枠構造を提供するものである。
【課題を解決するための手段】
【０００５】
すなわち、請求項１の考案は、溝開口に金属製蓋体を載置するための受け枠であって、前記受枠の下部に首振り部を介して傾斜自在な圧接部を有する圧締部を形成して、溝壁部の傾斜面に対しても緊締可能としたことを特徴とする金属製蓋体の受け枠構造に係る。
【０００６】
請求項２の考案は、圧締部が平面ロ字状の受け枠本体の溝方向と直行する端部材に垂設されたブラケットに取り付けられた請求項１に記載の金属製蓋体の受け枠構造に係る。
【考案の効果】
【０００７】
請求項１の考案に係る金属製蓋体の受け枠構造は、溝開口に金属製蓋体を載置するための受け枠であって、前記受枠の下部に首振り部を介して傾斜自在な圧接部を有する圧締部を形成して、溝壁部の傾斜面に対しても緊締可能としたため、極めて簡便な作業で受け枠を溝開口へ強固かつ確実に固定することができる。
【０００８】
請求項２の考案は、請求項１において、圧締部が平面ロ字状の受け枠本体の溝方向と直行する端部材に垂設されたブラケットに取り付けられたため、複数の圧締部を極めて簡便な構成で配設することができる。
【図面の簡単な説明】
【０００９】
【図１】本考案の一実施例に係る金属製蓋体の受け枠の斜視図である。
【図２】図１の受け枠の設置例を表す縦断面図である。
【図３】図１の受け枠の裏側の平面図である。
【図４】圧締部の概略図である。
【考案を実施するための形態】
【００１０】
図１，２は、側溝や横断溝等の排水溝１の溝開口５に金属製蓋体（溝蓋）３０を載置するための受け枠１０の構造を表す。排水溝１は、コンクリート製のブロック体からなり、溝開口２の両側の下部に段状に形成された受け枠１０を載置するための枠載置部３と、枠載置部３と連接されて水路を構成する溝壁部４とを有する。この排水溝１では、溝壁部４が逆テーパ状の傾斜面５を有している。
【００１１】
受け枠１０は、図１〜図３に示すように、排水溝１の溝開口２に着脱可能に固定されるものであって、上部に金属製蓋体３０が載置可能であるとともに、載置された金属製蓋体３０を固定する。この受け枠１０は、平面ロ字状の受け枠本体１１と、金属製蓋体３０のための固定部材１５と、圧締部２０とを有し、排水溝１の溝壁部４の傾斜面５に対しても緊締可能に構成される。
【００１２】
受け枠本体１１は、図１，３に示すように、一対の蓋載置部材１２，１２と、一対の端部材１３，１３とで平面ロ字状に形成される。蓋載置部材１２は、角パイプ等からなり、溝開口２の両側下部に形成された枠載置部３に載置可能であるとともに、上部に金属製蓋体３０が載置可能に構成されている。端部材１３は、断面略逆Ｌ字状に形成され、一対の蓋載置部材１２，１２間に溝方向と直行するように架設されて、各蓋載置部材１２，１２を連結する。
【００１３】
固定部材１５は、図１，２に示すように、受け枠本体１１に載置された金属製蓋体３０を固定するものであり、受け枠本体１１の各蓋載置部材１２，１２の両端部近傍に設けられる。実施例の固定部材１５は蓋載置部材１２から上方へ突設されたねじ部材からなる。図２において、符号１６は固定部材１５に螺着されるナット部材である。
【００１４】
圧締部２０は、図１〜図４に示すように、受け枠本体１１の各端部材１３の下部に、排水溝１の両側の溝壁部４，４に対応して形成されており、首振り部２５を介して傾斜自在な圧接部２６を有し、溝壁部４の傾斜面５に対して緊締されることで受け枠１０を溝開口５に固定する。
【００１５】
実施例の圧締部２０は、端部材１３の２箇所に垂設されたブラケット１４，１４にそれぞれ取り付けられる。そのため、図３に図示のように受け枠本体１１の前側の左右と後側の左右の４箇所に極めて簡便な構成で配設することができる。また、実施例の圧締部２０は、図４に示すように、ブラケット１４に嵌挿されるねじ状軸部２１と、ねじ状軸部２１に螺着されるナット部２２と、ねじ状軸部２１の先端に設けられた棒状の首振り部２５と、首振り部２５が遊嵌可能な貫通孔２６ａを有し溝壁部４の傾斜面５に圧接可能な圧接部２６と、首振り部２５の先端に螺着されて首振り部２５の貫通孔２６ａからの抜けを防止する抜け防止ナット部２７とを備える。この圧締部２０では、棒状の首振り部２５が圧接部２６の貫通孔２６ａに遊嵌されていることにより、圧接部２６が揺動可能となっている。そのため、溝壁部４への圧接時に圧接部２６が溝壁部４の傾斜面５の傾斜に合わせて傾斜（揺動）して、強固に固定することが可能となる。なお、図２，３に示すように、各圧締部２０は、圧接部２６が受け枠本体１１の外側方向に配置されるようにブラケット１４に取り付けられている。
【００１６】
金属製蓋体３０は、図１，２に示すように、受け枠１０に載置後、固定されて、排水溝１内への落ち葉やゴミ等の侵入を抑制する部材である。この金属製蓋体３０は、長手方向に並設された複数の主部材（ベアリングバー）３５と、主部材３５に格子状に直交する複数の補強部材３６とからなる。実施例において、主部材３５は、金属製蓋体３０の強度を保持するものであり、断面形状が矩形状、逆台形形状、Ｔ字形状、Ｉ字形状、Ｙ字形状等の様々な形状で構成されて、端板３１，３１間に複数本並設される。主部材３５の上面には、必要に応じて滑り止めのための凹凸面が形成される。一方、補強部材３６は、複数の主部材３５を格子状に固定して補強する部材であり、主部材３５の上面に溶接されるツイストバーや、主部材３５を貫通するクロスパイプ等が適宜に用いられる。なお、図の符号３２は受け枠１０の固定部材１５が嵌挿されて固定可能な取付部である。
【００１７】
本考案の受け枠１０の構造では、圧締部２０が受け枠本体１１の下部側に形成されているため、受け枠本体１１を溝開口２内の枠載置部３に載置した際に溝内部に圧締部２０が配置される。受け枠本体１１下部の４箇所に形成された各圧締部２０では、それぞれ圧接部２６が受け枠本体１１の外側方向に配置されていることから、各圧接部２６がそれぞれ排水溝１の溝壁部４に対面した状態となる。
【００１８】
そして、各圧締部２０のナット部２２を適宜調節して、圧接部２６を溝壁部４の傾斜面５に当接させて緊締する。その際、圧締部２０の圧接部２６が首振り部２５を介して傾斜（揺動）自在であるため、溝壁部４の傾斜面５の角度に対応して圧接部２６の角度が微調整されて圧接される。
【００１９】
このように、本考案の受け枠１０の構造では、排水溝１の溝内部側から両側の溝壁部４（傾斜面５）へ複数の圧締部２０の圧接部２６を圧接させるという極めて簡便な作業で受け枠１０を排水溝１の溝開口２へ固定することが可能となる。特に、圧締部２０の圧接部２６が首振り部２５を介して傾斜（揺動）自在とされていることから、溝壁部４の傾斜面５に対しても緊締可能となって、強固かつ確実に固定することができる。
【００２０】
また、従来のように溝開口へ埋設していないため、圧締部２０の緊締状態を解除するだけで容易に受け枠１０の取り外しが可能となり、メンテナンス等の作業性が飛躍的に向上する。
【００２１】
なお、本考案の金属製蓋体の受け枠構造は、前述の実施例のみに限定されるものではなく、考案の趣旨を逸脱しない範囲において構成の一部を適宜に変更して実施することができる。例えば、実施例の圧締部では、圧接部に棒状の首振り部が遊嵌可能な貫通孔を形成して傾斜（揺動）自在に構成したが、圧接部を傾斜自在とする構成はこれに限定されるものではなく、首振り部を球形状とするとともに、圧接部に球形状の首振り部に揺動自在に嵌合する嵌合部を形成した構成としてもよい。この圧締部では、首振り部が球形状であることにより、圧接部の嵌合部がその球面に沿って摺動可能となるため、圧接部を自在に傾斜（揺動）させることが可能となる。
【産業上の利用可能性】
【００２２】
以上のとおり、本考案の金属製蓋体の受け枠構造は、圧締部を溝壁部の傾斜面に対して緊締するだけで容易かつ確実に溝開口に受け枠を固定することが可能であるから、側溝等の排水溝への溝蓋の設置作業を極めて効率的に実施することができ、施工現場での作業が大幅に軽減されることが期待できる。
【符号の説明】
【００２３】
１      排水溝
２      溝開口
３      枠載置部
４      溝壁部
５      傾斜面
１０    受け枠
１１    受け枠本体
１２    蓋載置部材
１３    端部材
１４    ブラケット
１５    固定部材
１６    ナット部材
２０    圧締部
２１    ねじ状軸部
２２    ナット部
２５    首振り部
２６    圧接部
２７    球面状嵌合部
３０    金属製蓋体
３１    端板
３２    取付部
３５    主部材
３６    補強部材
【図１】
0003195720.tif 000003
【図２】
0003195720.tif 000004
【図３】
0003195720.tif 000005
【図４】
0003195720.tif 000006